(57)【要約】【課題】ストラップ側と対象物側とを容易に分離及び結合することが可能であるストラップ装置を提供する。【解決手段】環状の紐をユーザの身体の一部に掛けることで、該紐を介して対象物をユーザに装着させるストラップ装置であって、前記紐に取り付けられる基部と、前記基部に対して係合する、前記対象物が取り付けられる対象物取付部と、前記基部と前記対象物取付部の係合が維持された状態で、該基部と該対象物取付部を相対的にスライドするように設けられ、且つ、該基部と該対象物取付部の一端までスライドすることによって係合が解除されるスライド部と、を備える。【選択図】図１４
2010011881.tif 000002
【特許請求の範囲】
【請求項１】
環状の紐をユーザの身体の一部に掛けることで、該紐を介して対象物をユーザに装着させるストラップ装置であって、
前記紐に取り付けられる基部と、
前記基部に対して係合する、前記対象物が取り付けられる対象物取付部と、
前記対象物取付部に設けられ、前記基部と該対象物取付部との係合が維持された状態で、該基部が該対象物取付部に対して相対的にスライドするように形成されるスライド部と、
を備え、
前記基部が前記スライド部の端部までスライドすることによって該基部と前記対象物取付部との係合が解除されることを特徴とする、
ストラップ装置。
【請求項２】
前記基部は、突起状の突起部とフック状の引掛部とを有し、
前記対象物取付部は、溝状の溝部と、前記引掛部に引っ掛けることによって前記基部に対して係合するレール状のレール部とを有し、
前記スライド部は、前記溝部と前記レール部とにより構成され、前記溝部と前記突起部とが係合することと、前記引掛部と前記レール部とが係合することとのいずれか又は両方によって、前記基部と前記対象物取付部との係合が維持された状態になり、
前記引掛部は、前記レール部に係合した状態で、該レール部に対して相対的にスライドし、該引掛部が該レール部の端部までスライドすることによって、前記溝部と前記突起部との係合と、前記引掛部と前記レール部との係合とが解除され、前記基部と前記対象物取付部との係合が解除された状態になる、
請求項１に記載のストラップ装置。
【請求項３】
前記突起部は、前記引掛部の底部に近接する底部側面が高く、該底部側面と対向し、前記対象物取付部を前記基部に係合するための開口部に近接する開口部側面が低くなる傾斜部を有する、
請求項２に記載のストラップ装置。
【請求項４】
前記基部が前記スライド部の端部までスライドし、該基部と前記対象物取付部との係合が解除される前に、該スライドを規制し、更に、ユーザから所定の力が付与されることによって該規制を解除することが可能なスライド規制部を更に備える、
請求項１から３の何れか一項に記載のストラップ装置。
【請求項５】
前記対象物取付部は、穴状の穴部を更に有し、
前記スライド規制部は、前記突起部が前記穴部に嵌合することによって、前記基部が前記対象物取付部に対して相対的にスライドすることを規制する、
請求項４に記載のストラップ装置。
【請求項６】
前記穴部は、少なくとも前記対象物取付部の長手方向の両端部に有する、
請求項５に記載のストラップ装置。
【請求項７】
前記対象物取付部は、前記基部が該対象物取付部に対して相対的にスライドする方向と直交する方向から、前記基部に対して係合する、
請求項１から６の何れか一項に記載のストラップ装置。
【請求項８】
前記基部は、前記対象物取付部に対して相対的にスライドする方向に準じて前記引掛部を回転させる回転部を更に有する、
請求項１から７の何れか一項に記載のストラップ装置。
【発明の詳細な説明】
【技術分野】
【０００１】
本発明はストラップ装置に関するものである。
【背景技術】
【０００２】
ユーザの首に環状のストラップを掛けて、名前や顔写真等を記載したネームカードや、自己認識のためのデータを格納しＲＦＩＤタグにより読取装置と無線通信を行う通信カード等の対象物を挿入したカードホルダーストラップ装置を装着させる場合がある。
【０００３】
従来から、ネームカード等の対象物には個人情報が記載されているため、対象物を装着したユーザは、外出する際等には対象物を他人から見られないようにしたいという要求がある。そこで、ストラップ装置をユーザの首から外すことによって、対象物を他人から見られないようにすることが可能であるが、この作業は、腕を肩よりも上側に回すためユーザにとって負荷が大きいものである。また、この作業においてストラップが髪の毛と接触する可能性があるため、髪のセットが乱れてしまう可能性がある。そのためこの作業はそもそもユーザに嫌がられ、また、行うとしても慎重に作業せざるを得ない。女性に対しては、ストラップにファンデーションなどがつかないようにするため、よりいっそう慎重に作業を行う必要がありこの作業が煩わしいものである。そこで、ユーザはストラップを首から外さずに、対象物を胸ポケット等に収納して隠したいという要求がある。
【０００４】
従来のストラップ装置には、ストラップに取り付けられたリール機構に巻き付けられ対象物とリール機構を介する紐体によって、対象物がストラップから離れる方向に自由に伸ばすことが可能であるストラップ装置が開発されている（例えば、特許文献１を参照）。このストラップ装置では、例えば、対象物が自己認識のためのデータを格納しＲＦＩＤタグにより読取装置と無線通信を行うＩＣカードである場合、該ＩＣカードをＩＣカードアンテナ部などに近づける際に、紐がＩＣカードアンテナ部に届く長さでなくても、リール機構に巻き付けられ対象物の巻取りを解除してストラップから離れる方向に伸ばすことにより、ＩＣカードアンテナ部にＩＣカードを近づけることが可能である。他に、従来のストラップ装置には、ストラップに設けられた係止片に対象物を取り付けるストラップ装置が開発されている（例えば、特許文献２を参照）。このストラップ装置では、係止片から対象物を取り外すことによって、ストラップ側と対象物側とを分離させることが可能である。また、ストラップに取り付けられた茸状突起部を、対象物に取り付けられた丸穴に切り込みを介して取り付けるストラップ装置が開発されている（例えば、特許文献３を参照）。このストラップ装置では、切り込みを拡げることによって茸状突起部を丸穴から外すことによって、ストラップ側と対象物側とを分離させることが可能である。さらに、ストラップに設けられたクリップ機構により対象物の一部を挟みこみ、ストラップと対象物とを接続するストラップ装置が開発されている（例えば、特許文献４を参照）。このストラップ装置では、クリップ機構を開き、クリップ機構が対象物を挟み込んだ状態を開放して、ストラップ側と対象物側とを分離させることが可能である。
【特許文献１】特開２００５−１５２５１１号公報
【特許文献２】特開２００６−３２２５７７号
【特許文献３】公報実用新案登録第３０８６９６１号公報
【特許文献４】特許第３５９０３２６号公報
【発明の開示】
【発明が解決しようとする課題】
【０００５】
従来のストラップ装置は、ストラップに取り付けられたリール機構に巻き付けられ対象物とリール機構を介する紐体によって、リール機構に巻き付けられ対象物の巻取りを解除
してストラップから離れる方向に伸ばすことにより、ＩＣカードアンテナ部にＩＣカードを近づけることが可能であるが、紐体が延ばしっぱなしになると、リール機構が紐体を巻き付ける力を保持する部材（例えばバネ部材）が塑性変形することにより、該巻きつける力が減少し完全に巻き取れなくなってしまうことがある。また、一般に、紐体は必要な時にだけ（入退出管理システムのアンテナ部に対象物を近づける場合など）引き延ばすことが想定されているため、ストラップに比べて細いものであることが多い。従って、紐体を延ばしっぱなしにすると、紐体の耐久性が弱いため切れてしまうことがある。これを防止するために紐体を太くすると、リール機構が大きくなってしまい、ユーザにとって使いにくいストラップ装置になってしまう。また、リール機構に巻き付けられ対象物の巻取りを解除してストラップから離れる方向に伸ばす作業は、腕力が必要であるため、腕力の弱いユーザにとっては、使用するための負荷が大きく、不向きである。
【０００６】
また、対象物を薄い透明ビニルで形成される対象物保持部に挿入し、対象物保持部の係止穴がストラップに設けられた係止片に取り付けられることによって、対象物がストラップに取り付けられる従来のストラップ装置は、前記係止穴を前記係止片から取り外すことによって、ストラップ側と対象物側とで分離及び結合することが可能であるが、この作業は、前記係止片を対象物側から取り外すといった細かい作業が必要とされ、作業性が極めて悪い。更に、ストラップ装置が引っ張られた場合、係止穴に負荷がかかるため係止穴が破れてしまう可能性がある。
【０００７】
他に、ストラップに取り付けられた茸状突起部を、対象物に取り付けられた丸穴に切り込みを介して取り付ける従来のストラップ装置は、切り込みを無理に拡げることによって茸状突起部を丸穴から外し、ストラップ側と対象物側とで分離することが可能であるが、茸状突起部を丸穴から外れにくくすることによって、ストラップ側と対象物側とで分離し難くし、対象物の紛失を防ぐ構造となっている。従って、ストラップ側と対象物側とを分離する行為は、ユーザにとって困難であるだけでなく、頻繁な分離が想定されていない機構において分離及び結合を繰り返すことによって、茸状突起部と丸穴が壊れてしまう恐れがある。
【０００８】
更に、対象物を薄い透明ビニルで形成される対象物保持部に挿入し、クリップ機構により対象物保持部の一部を挟みこむことによって、対象物がストラップに取り付けられる従来のストラップ装置は、対象物保持部を片手で固定し、もう一方の手でクリップ機構を開いた状態を維持しながら、対象物保護部をクリップ機構から取り外すといった煩雑な作業が必要とされ、作業性が極めて悪い。
【０００９】
そこで本発明は、上記した問題に鑑み、ストラップ側と対象物側とを容易に分離及び結合することが可能であるストラップ装置を提供することを目的とする。
【課題を解決するための手段】
【００１０】
本発明は、上述した課題を解決するために、ストラップ（以下、紐と記載する）側と対象物側との分離及び結合操作を工夫した。本発明は、ユーザが紐を首から外さずに、対象物を取り付け及び取り外しすることが可能なストラップ装置を提供することが可能である。
【００１１】
詳細には、本発明は、環状の紐をユーザの身体の一部に掛けることで、該紐を介して対象物をユーザに装着させるストラップ装置であって、前記紐に取り付けられる基部と、前記基部に対して係合する、前記対象物が取り付けられる対象物取付部と、前記対象物取付部に設けられ、前記基部と該対象物取付部との係合が維持された状態で、該基部が該対象物取付部に対して相対的にスライドするように形成されるスライド部と、を備え、前記基部が前記スライド部の端部までスライドすることによって係合が解除される。
【００１２】
上記ストラップ装置において、基部に紐が取り付けられ、対象物取付部に対象物が取り付けられ、対象物取付部が基部に対して取り付け及び取り外し可能であるため、紐側と対象物側を分離及び結合することが可能である。具体的に説明すると、スライド部は、基部と対象物取付部との係合が維持された状態で、基部が対象物取付部に対して相対的にスライドするように設けられる。更に、基部がスライド部の端部までスライドすることによって、該基部と対象物取付部との係合が解除され、紐側と対象物側とを分離することが可能である。従って、ユーザが外出等により対象物を他人から見られないようにする際に、紐側をユーザの首から外さずに、対象物側のみを鞄やズボンのポケットなどに収納することが可能となる。また、自己認識のためのデータを格納しＲＦＩＤタグにより読取装置と無線通信を行うＩＣカードにおいて、ＩＣカードアンテナ部などにＩＣカードを近づける際に、紐がＩＣカードアンテナ部に届く長さでなくても、対象物側と紐側とを分離することによって、簡単にＩＣカードアンテナ部にＩＣカードを近づけることが可能である。
【００１３】
ここで本発明のストラップ装置において、前記基部は、突起状の突起部とフック状の引掛部とを有し、前記対象物取付部は、溝状の溝部と、前記引掛部に引っ掛けることによって前記基部に対して係合するレール状のレール部とを有し、前記スライド部は、前記溝部と前記レール部とにより構成され、前記溝部と前記突起部とが係合することと、前記引掛部と前記レール部とが係合することとのいずれか又は両方によって、前記基部と前記対象物取付部との係合が維持された状態になり、前記引掛部は、前記レール部に係合した状態で該レール部に対して相対的にスライドし、該引掛部が該レール部の端部までスライドすることによって、前記溝部と前記突起部との係合と、前記引掛部と前記レール部との係合とが解除され、前記基部と前記対象物取付部との係合が解除された状態になってもよい。
【００１４】
本発明のストラップ装置は、引掛部にレール部を引っ掛けることによって、対象物取付部が基部に対して係合する。そして、互いに係合した対象物取付部と基部を、引掛部がレール部の端部までスライドすることによって係合が解除され、紐側と対象物側を分離することが可能である。従って、本発明のストラップ装置は、ユーザが外出等により対象物を他人に見えないようにする際に、紐側をユーザの首から外さずに、対象物側のみを鞄やズボンのポケットなどに収納することが可能となる。
【００１５】
ここで本発明において、前記突起部は、フック状の引掛部の底部に近接する底部側面が高く、該底部側面と対向し、前記対象物取付部が前記突起部に係合するための開口部に近接する開口部側面が低くなる傾斜部を有してもよい。
【００１６】
前記突起部の前記開口部側面が低くなることによって、前記対象物取付部が前記基部に係合する際に突起部が溝部に係合し易くなる。その結果、紐側と対象物側とを容易に結合することが可能である。一方、前記底部側面が高くなることによって、溝部と突起部との係合が外れにくくなる。その結果、前記基部と前記対象物取付部との係合が維持され易くなる。
【００１７】
ここで本発明において、前記基部が前記スライド部の端部までスライドし、該基部と前記対象物取付部との係合が解除される前に、該スライドを規制し、更に、ユーザから所定の力が付与されることによって該規制を解除することが可能なスライド規制部を更に備えてもよい。
【００１８】
スライド規制部は、基部と対象物取付部の係合が解除される前に前記基部が前記対象物取付部に対して相対的にスライドすることを規制する。その結果、ユーザの意図しない基部と対象物取付部の相対的なスライドを防止し、不意に紐側と対象物側とが分離することを防止することが可能である。従って、本発明のストラップ装置は、対象物の紛失を防ぐ
ことが可能なストラップ装置を提供することが可能である。更に、スライド規制部は、ユーザから所定の力が付与されることによって、スライドの規制を解除することが可能である。その結果、本発明のストラップ装置は、スライド規制部を備えても、前記基部を前記対象物取付部に対して相対的にスライドさせることが可能であり、紐側と対象物側とを分離することが可能である。
【００１９】
ここで本発明において、前記対象物取付部は、穴状の穴部を更に有し、前記スライド規制部は、前記突起部が前記穴部に嵌合することによって、前記基部が前記対象物取付部に対して相対的にスライドすることを規制してもよい。
【００２０】
対象物取付部に設けられた穴部が基部に設けられた突起部に嵌合することにより、スライド規制部は、前記基部が該対象物取付部に対して相対的にスライドすることを規制する。従って、本発明のストラップ装置は、基部と対象物との相対位置関係をユーザが意図する状態に維持することが可能である。
【００２１】
また、前記穴部は、少なくとも前記対象物取付部の長手方向の両端部に有してもよい。基部に設けられた突起部が、対象物取付部の長手方向の両端部に有する穴部と嵌合することにより、スライド部が基部と対象物取付部の一端までスライドする際に、基部と対象物取付部の係合が解除される直前でスライドを規制することが可能である。従って、本発明のストラップ装置は、ユーザの意図しないスライド部による基部と対象物取付部の相対的なスライドを防止し、不意に紐側と対象物側とが分離することを防止することが可能である。
【００２２】
ここで本発明において、前記対象物取付部は、前記基部が該対象物取付部に対して相対的にスライドする方向と直交する方向から、前記基部に対して係合してもよい。基部と対象物取付部の係合が解除され、紐側と対象物側を分離したストラップ装置において、基部が取り付けられた紐をユーザが首に装着し、基部が対象物取付部に対して相対的にスライドする方向を、重力方向と直交する方向に設定した状態で、対象物が取り付けられた対象物取付部を基部に取り付ける場合、対象物取付部が重力方向から基部に対して係合する。言い換えると、ユーザが対象物取付部を持った手を基部の上方から重力方向に下げることによって、基部と対象物取付部を係合することが可能である。従って、本発明のストラップ装置は、対象物取付部が基部に簡単に係合するため、紐側と対象物側とを容易に結合することが可能であるストラップ装置を提供することが可能である。
【００２３】
ここで本発明において、前記基部は、前記対象物取付部に対して相対的にスライドする方向に準じて前記引掛部を回転させる回転部を有してもよい。基部と対象物取付部との係合が維持された状態で、基部と対象物取付部を相対的にスライドする際に、回転部は、該スライドのために対象物取付部にかかる外力により、前記基部が前記対象物取付部に対して相対的にスライドする方向に準じて引掛部を回転する。その結果、該対象物取付部が前記基部に対して相対的にスライドする力をスライドする方向のみに向けることが可能である。従って、本発明のストラップ装置は、ユーザが該対象物取付部に対しスライドさせるために多大な力を付与しなくても、紐側と対象物側を容易に分離することが可能である。
【発明の効果】
【００２４】
本発明によれば、紐側と対象物側を容易に分離及び結合することが可能であるストラップ装置を提供することが可能である。
【発明を実施するための最良の形態】
【００２５】
ここで、本発明の実施例に係るストラップ装置を有するネームホルダーの実施の形態について図面に基づいて説明する。尚、本発明の実施例に係るストラップ装置は、ユーザの
氏名等を記したネームカードを収納したカードホルダー等を保持するネームホルダーに適用されるものであるが、これは本発明を当該実施例に限定する意図ではなく、本発明と技術的思想が同一の範囲にある限りは、ユーザが対象物を携帯するとき等に利便性を向上するために使用することが可能である。
【００２６】
図１から図４には、ネームホルダー１の全体構造を示す。図１は、ユーザがネームホルダー１を使用する際の正面図を示す。図２は、紐２が取り付けられたネームホルダー１の正面側の斜視図であり、図３はその背面側の斜視図である。図４は紐２が取り付けられていないネームホルダー１の断面図である。
【００２７】
このネームホルダー１は、ユーザが自己の名前や所属部署を記したカードホルダー３（対象物）を携帯するために、首にかけた紐２を介して当該カードホルダー３がユーザの胸の前等に保持されるようにするためのものである。尚、このカードホルダー３はＲＦＩＤタグによる無線機能を有してもよい。このネームホルダー１は、ユーザの必要に応じて、紐２側とカードホルダー３側（対象物側）とに容易に分離及び結合することが可能である。従って、本発明の実施例に係るネームホルダー１は、紐２を首にかけた状態で紐２側とカードホルダー３側を分離し、当該カードホルダー３を所定のリーダ機能を有する読み取り機器にかざすことで、ユーザは首を読み取り機器まで近づける必要が無く、入退室等の所定のセキュリティ操作を容易に行うことが可能である。以下、本発明の実施例に係るネームホルダー１の詳細な説明を行う。
【００２８】
本発明の実施例に係るネームホルダー１において、対象物取付部４にカードホルダー３が取り付けられ、基部５に紐２が取り付けられ、対象物取付部４が基部５に対して取り付け及び取り外し可能であるため、紐２側とカードホルダー３側を分離及び結合することが可能である。このネームホルダー１は、ユーザの身体の一部に掛ける環状の紐２と、紐２に取り付けられる基部５と、基部５に対して取り付け及び取り外し可能でありカードホルダー３が取り付けられる対象物取付部４を主な構成要素としている。
【００２９】
＜基部の構成＞
まず、基部５の構成について説明する。基部５は、紐２を取り付ける第一基部５１及び第二基部５２と、引掛部５４を回転させる回転部５３と、対象物取付部４と係合する引掛部５４と、対象物取付部４との係合が維持された状態になる突起部５５を主な構成とする。図５は基部５の側面図であり、図６はその断面図である。図７は、紐２が取り付けられた基部５の正面図である。図８は、回転部５３を取り付ける取付穴５１３を設けた第一基部５１の正面図である。図９は、引掛部５４と突起部５５とを有する回転部５３の側面図である。図１０は、回転部５３が回転する様子を表した基部５の正面図である。
【００３０】
基部５は、ユーザの身体の一部に掛ける環状の紐２に取り付けられる。具体的に説明すると、図６に示すように、環状の紐２の一部を、略同径である円盤状の、第一基部５１と第二基部５２によって挟み、第一基部５１と第二基部５２とを超音波溶着などで接続することによって基部５が紐２に取り付けられる。尚、第一基部５１はユーザがネームホルダー１を装着した際に他人から見える側に設けられ、第二基部５２は他人から見えない側であって、ユーザの正面と対向する側に設けられる。また、基部５は、接続された第一基部５１と第二基部５２の上方の二箇所に紐２が突き出される紐突出部５６を有する（図５及び図７参照）。更に、第二基部５２は、第一基部５１と対向する面の、上方の紐突出部５６付近と下方の両方に、円錐状の紐固定部５７が複数設けられる（図５及び図６参照）。この紐固定部５７は、第一基部５１と第二基部５２が接続された際に、三角錐状の頂点が紐２に食い込むことによって紐２の横滑りを防止するため、紐２を基部５に固定することが可能である。
【００３１】
また、基部５は、引掛部５４を回転させる回転部５３を有する。回転部５３は、第一基部５１の円盤と略同径の円盤部５３１を有する（図６及び図９参照）。円盤部５３１は、第一基部５１が第二基部５２と対向する面と反対の面に接して設けられる。また、回転部５３は、第一基部５１と接する面の中心部に円柱状の回転軸部５３２と、回転軸部５３２の先端に回転軸部よりも若干径の大きい円盤状の先端部５３３を更に有する（図９参照）。ここで、第一基部５１は円盤部５３１と接する面の中心に、回転部５３が有する先端部５３３と略同径の円状の穴である第一取付穴５１１と、該第一取付穴５１１よりも若干小さい穴であって、回転部５３が有する回転軸部５３２と略同径の円状の穴である第二取付穴５１２とが繋がったダルマ型の取付穴５１３が設けられる（図８参照）。回転部５３が有する先端部５３３を第一取付穴５１１に挿入し、第二取付穴５１２にスライドすることで、回転部５３を第一基部５１に容易に取り付けることが可能である（図６参照）。また、回転部５３は、回転軸部５３２を軸として基部５に対して３６０°回転自在である。
【００３２】
更に、基部５は対象物取付部４に係合する引掛部５４を有する。引掛部５４は、回転部５３が回転軸部５３２を有する面とは反対の面の円の端部から垂直方向に延在する第一引掛部５４１と、回転部５３の面に対して平行であって、円の中心方向に延在する第二引掛部５４２の端部が接続された、回転部５３に設けられるフック状の引掛部５４である（図５から図７及び図９参照）。従って、引掛部５４が回転部５３に設けられていることから、回転部５３が回転すると引掛部５４も一緒に回転する（図１０参照）。回転部５３は３６０°回転自在であるため、引掛部５４は基部５に対してどの角度にも回転することが可能である。尚、ユーザがネームホルダー１を首に掛けた際に、通常、引掛部５４の自重によって回転部５３が回転し、引掛部５４が重力方向に位置するため、第二引掛部５４２が重力方向と反対の方向に延在する（図５及び図７参照）。
【００３３】
また、基部５は突起部５５を有する。突起部５５は、回転部５３が回転軸部５３２を有する面とは反対の面に、引掛部５４の第二引掛部５４２と対向する位置に設けられる（図５、図６及び図９参照）。尚、突起部５５は、重力方向に対して低くなり、重力方向と反対の方向に対して高くなる傾斜部５５１を有する。
【００３４】
＜対象物取付部の構成＞
次に、上述した基部５に対して係合し、且つ、カードホルダー３が取り付けられる対象物取付部４について説明する。対象物取付部４は、上述した引掛部５４に引っ掛けられ基部５と係合するレール部４１と、上述した突起部５５との係合が維持された状態になる溝部４２と、上述した突起部５５に嵌合する穴部４３を主な構成とする。図１１は、対象物取付部４の背面側の斜視図である。図１２は、図１１に示す対象物取付部４のＡ−Ａ'断
面図である。尚、図１２に示す点線は、図１１に示す対象物取付部４の長手方向中間部のＢ−Ｂ'断面図である。
【００３５】
対象物取付部４は、レール部４１を有する。レール部４１は、断面コの字状の形状（図１２を参照）をした、カードホルダー３の長さと略同じ長さの構造である（図２及び図３参照）。具体的に説明すると、レール部４１は、互いに対向する第一レール部４１１及び第二レール部４１２と、該第一レール部４１１と該第二レール部４１２の片端側と接続し、且つ、引掛部５４を受け止める引掛部受止部４１３を有する（図４及び図１２参照）。第一レール部４１１はカードホルダー３が取り付けられ、第二レール部４１２は第二引掛部５４２と円盤部５３１との間に引っ掛けられる。その結果、第一レール部４１１と第二レール部４１２が第二引掛部５４２を挟む構造となる。また、第二レール部４１２は、引掛部受止部４１３と接続してない側の片端側が、第一引掛部５４１と当接する。尚、引掛部受止部４１３が第二引掛部５４２の延在する端部を受け止め当接してもよい。
【００３６】
また、対象物取付部４は、溝部４２を有する。溝部４２は、第二レール部４１２が円盤
部５３１と接する面に設けられ（図４、図１１及び図１２参照）、第二レール部４１２の長手方向に沿って形成される。また溝部４２は、基部５に設けられる突起部５５を係合することが可能な大きさの溝である。突起部５５が溝部４２に係合することによって、基部５と対象物取付部４の係合が維持された状態になる。
【００３７】
更に、対象物取付部４は、穴状の穴部４３を有する（図１１及び図１２参照）。穴部４３は、図１２の点線に示すように、溝部４２よりも深い溝を有する穴である。また、穴部４３は、上述した溝部４２上のレール部４１の長手方向の両端部と、レール部４１の長手方向の中間部に設けられ、基部５が有する突起部５５と略同形の穴である（図１１参照）。従って、穴部４３が基部５に設けられた突起部５５と嵌合することが可能である。尚、対象物取付部４の長手方向の中間部は、図１２の点線に示すように、引掛部受止部４１３が溝状の溝部４１４と、突起状の突起部４１５を有する。突起部４１５は、引掛部受止部４１３の長手方向の外側中間部に半円柱状に設けられる（図１１参照）。
【００３８】
＜紐側とカードホルダー側の結合方法＞
ここで、紐２側とカードホルダー３側の結合方法について説明する。図１３は、対象物取付部４が基部５に対して係合する様子を表した正面側から見た図である。図１４は、対象物取付部４が基部５に対して係合する様子を表した側面側から見た図である。
【００３９】
基部５は紐２に取り付けられており、対象物取付部４はカードホルダー３を取り付ける。従って、紐２側とカードホルダー３側が分離された状態において、対象物取付部４が基部５に対して係合することによって、紐２側とカードホルダー３側を結合することが可能である。ユーザの首に環状の紐２を掛けると、紐２に取り付けられた基部５は自重により重力方向に位置する。更に、基部５に設けられる回転部５３が回転することにより、引掛部５４が自重によって重力方向に位置し、第二引掛部５４２が重力方向と反対の方向に延在する（図１、図１３及び図１４参照）。その結果、ユーザが対象物取付部４を持った手を引掛部５４の上方から重力方向に下げ、レール部４１を引掛部５４に引っ掛けることによって、基部５と対象物取付部４を係合することが可能である。従って、本発明の実施例に係るネームホルダー１は、対象物取付部４を基部５に簡単に係合することが可能であるため、紐２側とカードホルダー３側を容易に結合することができる。
【００４０】
また、レール部４１を引掛部５４に引っ掛ける際に、基部５が有する突起部５５に対象物取付部４が有する溝部４２が係合する。その結果、基部５と対象物取付部４の係合が維持された状態になる（図４参照）。尚、突起部５５は、レール部４１を引掛部５４に引っ掛ける方向において始点側、すなわち引掛部の開口部側対して低くなり、該引っ掛ける方向において終点側、すなわち引掛部の底部側に対して高くなる傾斜部５５１を有するため、溝部４２が突起部５５に対して係合し易く、且つ、係合が外れにくくなる。その結果、本発明の実施例に係るネームホルダー１は、対象物取付部４が基部５に対して係合し易いため、紐２側とカードホルダー３側とを容易に結合することが可能であり、且つ、対象物取付部４が基部５に対して係合する係合方向と、該係合方向と反対の方向に対して、基部５と対象物取付部４の係合が維持され易い。
【００４１】
他に、本発明の実施例に係るネームホルダー１をユーザが装着した際、回転部５３は回転軸部５３２を軸として基部５に対して３６０°回転自在であるため、カードホルダー３が風から受けた力を紐２に伝えなくすることが可能である。また、回転部５３が基部５に対して回転するため、基部５が回転部５３の回転支持面となり、回転部５３がより回転し易くなる。更に、カードホルダー３はレール状のレール部４１に取り付けられるため、カードホルダー３が風から受けた力を回転部５３に伝えやすい。従って、本発明の実施例に係るネームホルダー１は、風等によりカードホルダー３が引っ繰り返りにくいという効果を有する。
【００４２】
＜紐側とカードホルダー側の分離方法＞
次に、紐２側とカードホルダー３側の分離方法について説明する。紐２側とカードホルダー３側が結合された状態において、対象物取付部４と基部５の係合を解除することによって、紐２側とカードホルダー３側を分離することが可能である。図１５は、基部５と対象物取付部４を相対的にスライドし、基部５と対象物取付部４の係合が解除される様子を表す図である。以下、図４及び図１５を基に説明をする。
【００４３】
本発明の実施例に係るネームホルダー１は、基部５と対象物取付部４の係合が維持された状態で、引掛部５４がレール部４１に対して相対的にスライドするように設けられている。従って、ユーザは、引掛部５４に引っ掛けたレール部４１を手で持ち、引掛部５４に沿ってスライドことにより、引掛部５４とレール部４１との相対位置を変えることが可能である。また、回転部５３は、基部５と対象物取付部４との係合が維持された状態から、片手によるわずかな力を受けて基部５と対象物取付部４を相対的にスライドする際に、該スライドのために対象物取付部４にかかる外力により、前記基部５が前記対象物取付部４に対して相対的にスライドする方向に準じて引掛部５４を回転させるため、スライド部が基部５と対象物取付部４を相対的にスライドする力をスライドする方向のみに向けることが可能である。従って、ユーザは、レール部４１をスライドさせるために多大な力を付与しなくても、引掛部５４とレール部４１の相対位置を容易に変えることが可能である。更に、対象物取付部４が基部５に対して係合する際に、突起部５５が溝部４２に係合する。従って、ユーザーは、基部５と対象物取付部４との係合が維持された状態で、基部５と対象物取付部４を相対的にスライドさせることが可能である。
【００４４】
また、本発明の実施例に係るネームホルダー１は、引掛部５４がレール部４１の端部までスライドすることによって、基部５と対象物取付部４の係合が解除されるように設けられている。従って、ユーザは、レール部４１を引掛部５４の一端までスライドさせることにより、レール部４１を引掛部５４から外すし、基部５と対象物取付部４の係合を解除し、紐２側とカードホルダー３側とを分離することが可能である。その結果、ユーザが外出等によりカードホルダー３を他人に見られないようにする際に、紐２側をユーザの首から外さずに、カードホルダー３側のみを鞄やズボンのポケットなどに収納することが可能となる。また、自己認識のためのデータを格納しＲＦＩＤタグにより読取装置と無線通信を行うＩＣカードにおいて、ＩＣカードアンテナ部などにＩＣカードを近づける際に、紐２がＩＣカードアンテナ部に届く長さでなくても、ＩＣカード側と紐２側を分離することによって、簡単にＩＣカードアンテナ部にＩＣカードを近づけることが可能である。
【００４５】
更に、本発明の実施例に係るネームホルダー１は、基部５と対象物取付部４の係合が解除される前に基部が該対象物取付部に対して相対的にスライドすることを規制するスライド規制部を有する。具体的に説明すると、スライド規制部は、対象物取付部４の長手方向の両端部に有する穴部４３と、基部５が有する突起部５５が嵌合することによって、スライドを規制する。その結果、ユーザの意図しないスライド部による基部５と対象物取付部４と間の相対的なスライドを防止し、不意に紐２側とカードホルダー３側とが分離することを防止することが可能である。従って、本発明の実施例に係るネームホルダー１は、カードホルダー３の紛失を防ぐことが可能である。尚、対象物取付部４は、穴部４３を、レール部４１の長手方向の両端部以外に、レール部４１の長手方向の中間点に設け、レール部４１の中間点で基部５と係合することにより、ネームホルダー１が左右対称となり、ユーザがネームホルダー１を装着した際に外観が向上する。また、穴部４３をレール部４１のユーザの任意の箇所に設けることにより、本発明の実施例に係るネームホルダー１は、基部５と対象物取付部４のユーザの意図する相対位置を維持することが可能である。
【００４６】
また、スライド規制部は、ユーザから所定の力が付与されることによって、基部５と対
象物取付部４との間の相対的なスライドに対する規制を解除することが可能である。つまり、互いに嵌合した穴部４３と突起部５５は、ユーザが所定の力でレール部４１を引掛部５４に沿ってスライドすることにより嵌合が解除され、スライド規制部による規制を解除することが可能である。その結果、本発明の実施例に係るネームホルダー１は、スライド規制部を備えても、基部５を対象物取付部４の端部までスライドすることが可能であり、紐２側とカードホルダー３側とを分離することが可能である。
【００４７】
＜縦型カードホルダー＞
また、本発明の実施例に係るネームホルダー１は、縦書きのカードホルダー３にも対応することが可能である。図１６は、カードホルダー３をユーザの胸ポケット６に収納した様子を表す図である。基部５に設けられた突起部５５が、対象物取付部４の長手方向の両端部に有する穴部４３に嵌合することによって、対象物取付部４に取り付けられたカードホルダー３が９０°回転した位置に維持することが可能となる。その結果、縦書きのカードホルダー３やＩＤカードにも対応することが可能な、使い勝手の良いネームホルダー１を提供することが可能である。
【００４８】
また、本発明の実施例に係るネームホルダー１は、回転部５３を有することにより、カードホルダー３の姿勢に対する紐２の取り付けられる向きを回転調節することが可能である。カードホルダー３をユーザの胸ポケット６に収納する際に、レール部４１が引掛部５４の端部までスライドし、回転部５３が紐２の取り付けられる向きを回転調節することにより、胸ポケット６の開口部６１付近に基部５を位置させ、対象物取付部４や基部５に負荷がかけずに、開口部６１から紐２を出すことが可能である（図１６参照）。その結果、本発明の実施例に係るネームホルダー１は、基部５や基部５を取り付ける紐２を胸ポケット６内からではなく開口部６１側から出すことができ、カードホルダー３や対象物取付部４と一緒に胸ポケット６内に収納する必要が無い。従って、本発明の実施例に係るネームホルダー１は、胸ポケット６等の収納部の幅が狭い場合等に、基部５や基部５を取り付ける紐２をカードホルダー３側に折り畳む必要が無く、該基部５や該紐２を折り畳むことによる基部５と対象物取付部４の係合が弱くなることを防止し、負荷をかけずに収納部にカードホルダー３を収納することが可能である。また、基部５と対象物取付部４をカードホルダー３側に折り畳むことにより収納部が厚くならないため、ユーザにとって使い易いネームホルダー１を提供することが可能である。
【００４９】
＜変形例＞
以上、本発明に係るネームホルダー１の実施例について説明したが、本発明に係るネームホルダー１はこれらに限定されるものではない。図１７は、基部５にカードホルダー３を取り付け、対象物取付部４のレール部４１の端部に紐２を取り付け、対象物取付部４に対して基部５が係合する様子を表す図である。基部５に設けられる引掛部５４が重力方向と反対方向に位置し、第二引掛部５４２が重力方向に延在するように設けられることにより、上述した本発明の実施例に係るネームホルダー１と同様の効果を有することが可能である。
【図面の簡単な説明】
【００５０】
【図１】本発明の実施例に係るネームホルダーをユーザが使用する際の正面図である。
【図２】本発明の実施例に係るネームホルダーを正面側から見たときの斜視図である。
【図３】本発明の実施例に係るネームホルダーを背面側から見たときの斜視図である。
【図４】本発明の実施例に係るネームホルダーの断面図である。
【図５】本発明の実施例に係るネームホルダーを構成する基部を側面から見たときの側面図である。
【図６】本発明の実施例に係るネームホルダーを構成する基部の断面図である。
【図７】本発明の実施例に係るネームホルダーを構成する基部の正面から見た正面図である。
【図８】本発明の実施例に係るネームホルダーを構成する基部の第一基部を正面から見た正面図である。
【図９】本発明の実施例に係るネームホルダーを構成する基部を側面から見た側面図である。
【図１０】本発明の実施例に係るネームホルダーにおいて、基部に設けられる回転部が回転する様子を表す図である。
【図１１】本発明の実施例に係るネームホルダーを構成する対象物取付部を背面側から見たときの斜視図である。
【図１２】図１１に示すレール部のＡ−Ａ'断面図及びＢ−Ｂ'断面図である。
【図１３】本発明の実施例に係るネームホルダーを構成する対象物取付部が基部に対して係合する様子を表した背面側から見た図である。
【図１４】本発明の実施例に係るネームホルダーを構成する対象物取付部が基部に対して係合する様子を表した側面側から見た図である。
【図１５】本発明の実施例に係るネームホルダーを構成する基部と対象物取付部を相対的にスライドし、基部と対象物取付部の係合が解除される様子を表す図である。
【図１６】本発明の実施例に係るネームホルダーを構成するカードホルダーをユーザの胸ポケットに収納した様子を表す図である。
【図１７】本発明の実施例に係るネームホルダーの変形例を表す図である。
【符号の説明】
【００５１】
１・・・ネームホルダー
２・・・紐
３・・・カードホルダー
４・・・対象物取付部
４１・・・レール部
４１１・・・第一レール部
４１２・・・第二レール部
４１３・・・引掛部受止部
４２・・・溝部
４３・・・穴部
５・・・基部
５１・・・第一基部
５１１・・・第一取付穴
５１２・・・第二取付穴
５１３・・・取付穴
５２・・・第二基部
５３・・・回転部
５３１・・・円盤部
５３２・・・回転軸部
５３３・・・先端部
５４・・・引掛部
５４１・・・第一引掛部
５４２・・・第二引掛部
５５・・・突起部
５５１・・・傾斜部
５６・・・紐突出部
５７・・・紐固定部
６・・・胸ポケット
６１・・・開口部
【図１】
2010011881.tif 000003
【図２】
2010011881.tif 000004
【図３】
2010011881.tif 000005
【図４】
2010011881.tif 000006
【図５】
2010011881.tif 000007
【図６】
2010011881.tif 000008
【図７】
2010011881.tif 000009
【図８】
2010011881.tif 000010
【図９】
2010011881.tif 000011
【図１０】
2010011881.tif 000012
【図１１】
2010011881.tif 000013
【図１２】
2010011881.tif 000014
【図１３】
2010011881.tif 000015
【図１４】
2010011881.tif 000016
【図１５】
2010011881.tif 000017
【図１６】
2010011881.tif 000018
【図１７】
2010011881.tif 000019